(57)【要約】【課題】太陽電池「ソーラーセル」の潜在能力限界まで活用に集光熱運用策が必須。汎用メカニズム・電子化学（水素発生・貯蔵）技術の連携で小電力を広く応用し制御便利に活躍出来る、（原発制御には気疲れを感じる）太陽エネルギーを低廉に庭先でも待機電力級から「元高回収」を考えない廉価な高密度電力を得る発明。【解決手段】最純度資源と大きな電力で高精製し得た「ソーラーセル」から充分な電力発生と太陽光検知追従・過熱防止策水中発電浸水及び気化熱冷却と数ビット計算で太陽光精粗追従を行い高密度光と小型「ソーラーセル」の集合技術から高能力変換電力を得る発明。【選択図】図３
2004312054.tif 000002
【特許請求の範囲】
【請求項１】
太陽光変換電力発生装置又は「光電発生装置」、太陽電池又は「ソーラーセル」の能力一杯の変換電力発生装置である。平面箱（Ｘ・Ｙ・斜）複数レンズを並べ（一連成形品・及び箱ぶたレンズ）を配置、太陽光運行に無動力追従し、直達光がその方向多数凸レンズを順次送り経由してその増大集光を「ソーラーセル」が受光し、高能力電力する発明。  集光は収斂等の損失があり、断面が半円、筒洞の反射鏡・補助集光板で再集光を「ソーラーセル」が受光する。又、高密度光から温度上昇を反射鏡、補助集光板等を好放熱板とし、気（液）冷し「ソーラーセル」の温度上昇出力低下を抑制する。冷却水は水中発電利用。給湯き又、手洗水を支壊する光熱利用を計る「光電発生装置」である。
【請求項２】
レンズ重ね方式は凸レンズ形の透明合せ板の間隙に屈折率ある液体を充填・排除又は圧力制御し、その機能を持つ制御レンズ（段階・連続制御・形状・数に限定しない。）である。制御凸レンズをＸ・Ｙ面に多数（単数・一連成形レンズ）並べ又多層重ね、例えばレンズ半径分「ずらす」位相を付け二枚合せ層に液体を順送りに切換へ（入出制御）運行する太陽光を二分の一枚毎に追従検出信号により液体制御弁を可動太陽光を該当レンズより高密度光を「ソーラーセル」が受光し高能力電力する発明である。換言すれば直達光と高密度光比の利得分が「ソーラーセル」の縮小出来る。又制御レンズ水は「ソーラーセル」水中発電及び冷却水に好適である。
【請求項３】
バイメタル式は枝葉（花びら）と向日性を真似た四分割（熱絶縁）した反射鏡とその裏面に異膨張係数（金属・非金属）合せ板又は「バイメタル」板（単数・多数連結又は重ね）を放熱板間に配置更に据付具を経て機台（箱底）に固定する。即ち「バイメタル」板は反射鏡、「ソーラーセル」等から直達光・反射集光を受け反屈曲その熱反力から反射鏡が太陽光に正対その高密度光を補助反射板を経て「ソーラーセル」が受光し高能力電力する。他言反射鏡追従回転は周囲温度に関係なく各々の受熱差で追従する優れた光電発生装置である。熱効果策とし「バイメタル」には枝葉脈に似た長溝孔が付帯し「バイメタル」反面増強を計っている。
【請求項４】
「ベローズ」式は「請求項３」の反射鏡と間隙のある二枚合せで熱絶縁四分割鏡と伸縮ベローズを結着夫々に独立した熱膨張気（液）体を充填する。その四分割反射鏡が太陽直達光・反射光等を受け、その膨張力を「ベローズ」が受け伸縮する。即ち「請求項３」のバイメタル熱反力と同じ可動で反射鏡が太陽光を追従し、直達光から、高密度光を得て「ソーラーセル」が受光し、高能力電力を得る。又ベローズ式は多数から抽出した数台の追従圧力を「ベローズ」のみの多数台に分配全数一斉同期追従する簡易形の特徴を具えた発明である。
【請求項５】
「球体集光ユニット」又は「発電ユニット」はレンズ集光式と反射集光式に大別。レンズ集光式は前面凸レンズ（プラスチックス・フレネル等）又は前面半球容器一体成形品とし、後半球は補助集光板に「ソーラーセル」を装架、空冷却間隙を介して外部冷却板に結合更に後面半球に連結その大圏ルートに「糸ベルト」を基定点に付帯その追従伸縮動で方位、高度角に累積誤差を生じなく全ユニット回転する。追従直達光より凸レンズが高密度集光し、補助集光板を経て「ソーラーセル」が受光し、高能力電力する凸レンズ集光式「発電ユニット」である。更に集光熱から「ソーラーセル」温特出力低下を防ぐ合せ冷却板を経て液水を含んだスポンジゴム等に浸し、外箱に効果良く熱放散（空液冷却など）を行い温度上昇を防ぐ発明である。  他方反射集光式は第一反射鏡と「ソーラーセル」とその補助反射板及び内部放熱板と間隙付帯・外部放熱板後面半球に装架する。  又透明前面半球には補助集光板付カスグレン第二反射鏡を配置、それ等前、後半球を合せ球体を構成、その大圏ルートに「糸ベルト」を連携する基定点が有る。  即ち前面半球から追従直達光を第一反射鏡が高密度集光し、第二反射鏡（補助集光板付）を経て「ソーラーセル」が受光し、高能力電力する反射集光式「発電ユニット」である。又冷却方式に於いてはレンズ式と大差ない。
【請求項６】
「発電ユニット」収納容器には「箱形式」と「バンザー電柱式」がある。「箱形式」は「請求項５」の「発電ユニット」を滑車状に多数縦、横、斜、平面箱に配設置、夫々「発電ユニット」を滑車とし方位、高度角二軸大圏ルート基定点に「糸ベルト」を緊縛、同期角度を保持し各々が滑車とベルト間の「小スベり」「スリップ」が誤差累積し全体が追従不能になる事象を避ける。球体が軸、軸受等を代替し低廉に太陽二軸方向の検知信号出力から回転追従する。即ち各々の「発電ユニット」内「ソーラーセル」が太陽光に追従各々が高能力電力する発明。
【請求項７】
パンザー電柱式は「請求項５」の「発電ユニット」複数を透明パンザー電柱式容器内の「糸ベルトホルダ」に梯子横木状に「発電ユニット」を「糸ベルト」で基定点に連携、そのベルトホルダーは太陽光方位角を追従回転する。又「発電ユニット」高度角基定点に「糸ベルト」で（方位角同様）連携懸垂し、太陽光高度角を追従回転する。即ちベルトホルダー回転は収容器上部端の追従モーターから方位角、又、９０°位相を置いて「ベルトホルダー」下部追従モーターが高度角を、運行する太陽光検知信号出力により二系統夫々が追従する最下部はモーター無し、滑車軸が垂下「糸ベルト」を保持回転する。換言すれば追従光を夫々の「発電ユニット」に於いて凸レンズ（反射鏡）等の高密度集光を「ソーラセル」が受光その高能力電力を得る。言わば太陽光発電に不適合な狭地・軒先等の立体空間を活用する逸品である。因に電柱形は「ソーラーセル」対流空冷に適し、又液冷却は上部より「糸ベルト」伝い水が気化熱冷却を併用高率よい「光電発生装置」である。
【発明の詳細な説明】
【技術分野】
【０００１】太陽光発電素子通称「太陽電池」「ソーラーセル」は太陽直達光を平面容器に屋上等で受光発電が主体である。「ソーラーセル」は多量な電力等を消費、近代高精製する技術と半導体Ｐ、Ｎ形結晶の粋とし、薄形加工等で生まれた近代物質のすぐれた変換作用は衆知の事実である。その不充分活用感は、例えば「元高回収性」の低さである。本発明は一助として太陽光熱の集光密度光と熱エネルギーの総括活用とその良い冷却方策に関する発明。
【背景技術】
【０００２】軽量小形な多数レンズと薄膜技術等の軽量化、安価な反射鏡集光具による運行する太陽光を高放射密度光とし、採光面積の数十分の一に縮小した「ソーラーセル」に高密度光を投光・採光面積に近い高能力電力を得る発明。【０００３】前記【０００２】の多数レンズを更に多層重ねた水（液体）行列レンズ群を運行する太陽光に切換、合致追従を行い高率利得の高密度光束を順次「ソーラーセル」が受光し、高能力電力化を計る発明。【０００４】他のエネルギー無しに自然の「花びら」と向日性を真似た集光反射鏡を「バイメタル」の熱膨張力を利用し、運行する太陽光に追従その高密度光を「ソーラーセル」が受光し、高能力電力化を計る発明。【０００５】前記【０００４】の「バイメタル」膨張力を代替する二枚合せ間隙反射鏡と結合「ベローズ」に熱膨張気（液）体を充填その膨張増大（面積比倍）伸縮力を反射鏡に与え運行する太陽光追従に適用し、高密度集光束を「ソーラーセル」が受光し、高能力電力化を計る発明。【０００６】球体発電ユニット又は「発電ユニット」第二反射鏡等具えた透明前面球と背面球は金属等で「ソーラーセル」と第一反射鏡及び放熱板とし結合した球体である。滑車「プリー」とし、「糸ベルト」をその大圏基定点に繋索、追従検出信号が、「方位・高度角」を可動する。球体は「糸ベルト」を二方向に無軸自由回転し、太陽光に追従受集光し、その高密度光束が反射鏡等を経て「ソーラーセル」が受光し、高能力電力化を計る「発電ユニット」である。又第一、第二反射鏡をレンズ集光策とする「凸レンズ式」図９は、殆んど同様運用出来る。【０００７】平面形は、前記「発電ユニット」複数を平面箱容器に将棋並べ行列に配置、各々の方位・高度角回転はその大圏基定点に「糸ベルト」を一括連係する。その二方向回転は、太陽光検出信号出力からモーター駆動により累積誤差を生ずることなく、太陽光に追従その高密度集光束を夫々の「ソーラーセル」が受光高能力電力化を計る発明。他言すれば、多数夫々追従動形は、複雑高価に。一括大形は精度・重量及び設置上の難点・価格等が普及を阻害する。本平面箱形は多数化（小球体）は全体が薄型・軽量になる関係が有り、活用電力に適当な設置場所とその容量に対する選択・自由度が取れる発電装置の発明。【０００８】パンザー電柱透明形は、前記「０００６」及び「０００７」共通策で、複数「発電ユニット」をパンザー電柱容器上部より方位、高度角を追従「糸ベルト」を夫々球体に滑車としその基定点に連係懸垂する。他方運行する太陽光検知信号で二系統をモーター駆動から、前記「糸ベルト」を追従、夫々の「発電ユニット」が直達光を高密度光束とし「ソーラーセル」が受光し、高能力電力化を計る発明。パンザー電柱形は垂直自立形で、その形状は気（液）利用に最適であり、狭地立体利用の光熱発電装置である。【非特許文献】
【０００９】無線工学ポケットブック  株式会社オーム社昭和３９年１１月１５日  Ｐ４６３〜【００１０】太陽エネルギー  日本放送出版協会  押田勇雄著昭和５６年１２月２０日  Ｐ１５〜１５１〜２０９
【発明が解決しようとする課題】
【００１１】「平面にレンズを並べた方式」は配置レンズ又は（箱容器蓋を一体成形レンズ）を運行する太陽光熱が順次高密度光とし補助集光板を経て「ソーラーセル」が受光し高能力電力を得る方策の発明。
【００１２】「液体レンズ式」は凸レンズ透明殻を多層重ね、屈折液体を太陽光に適合層を選択（圧力制御）充填し、レンズ効果の発生高密度光を「ソーラーセル」が受光し、高能力電力を得る発明。
【００１３】「バイメタル式」は太陽光熱の「バイメタル」変形力で反射鏡が太陽光を追従、その結果より高密度光を補助反射板付「ソーラーセル」が受光し、高能力電力を得る発明。
【００１４】「ベローズ式」は
【００１３】同様太陽光熱で反射鏡と「ベローズ」に充填した気（液）体のボー張力で反射鏡等が太陽光に追従、正対から高密度光を補助反射板付「ソーラーセル」が受光し、高能力電力得る発明。
【００１５】「球体発電ユニット」は球体特徴を充分（無軸回転、広冷却面積）に生かし多数・小径（外箱等薄形になる）「発電ユニット」を機械生産し、採光角の数十分の一「ソーラーセル」を搭載する。前面レンズ又は背面反射鏡から追従高密度光を矮小「ソーラーセル」が受光し、高能力電力を得る発明。
【００１６】「平面箱発電ユニット式」は、平面箱に多数「発電ユニット」を滑車（桟）状外周基定点の方位・高度角に「糸ベルト」を携留。その「糸ベルト」を追従検出信号とその駆動モーターで一斉同期回転し、運行する太陽光に追従する。その光束を夫々「発電ユニット」内「ソラーセル」が受光し、高能力電力を得る。一方集光熱による温度上昇は「発電ユニット」背面反射鏡等から平面箱底を経て良い冷却する発明。
【００１７】「パンザー電柱形」式は「発電ユニット」を電柱形内に多数梯子状に上部より二系統「糸ベルト」で懸垂する。方位・高度角面を一斉（前記００１６）同じ同期・同角で運行する太陽光を追従（００１６）に同じ光路を経て高密度光から「ソーラーセル」が夫々高能力電力を得る。この電柱形は空冷気化熱に最適。又上部より「懸垂ベルト」少量伝い水が順次発電ユニットを液冷する。給湯機手洗い等の生活水に活用する。細長い形状は狭地・庭先の立体配置に適当。小電力用の移動と臨時等の活用品の発明。
【課題を解決する手段】
【００１８】「平面にレンズを並べた方式」は、軽量の成型レンズ板（箱容器蓋一体成形レンズ）が運行する太陽光に順次追従し、その高密度光を彩光面の桁違い小さな補助反射板付「ソーラーセル」が受光し高能力電力を他エネルギー支援なく電力を得る発明。
【００１９】「液体レンズ式」は液体を入れる透明間隙ある平面凸レンズを重ね、その重ね層に運行する太陽光に適する層に液体を入出し、レンズ機能を切換圧力制御そのレンズから高密度光を補助集光板等付き採光面より遥かに小形「ソーラーセル」が受光し高能力電力を得る。レンズ切換液体は「ソーラーセル」冷却及び生活用水に利用する効率よい発明。
【００２０】「バイメタル」方式は、熱変形する「バイメタル」を熱絶縁した四分割第一反射鏡底面の方位、高度角面に配し、熱反曲力差分から第一反射鏡が運行する太陽光を追従その高密度光が第二反射鏡等を経て「ソーラーセル」が受光し、高能力電力を他エネルギー無しに得る発明。
【００２１】「ベローズ式」は、熱遮断四分割第一反射鏡の二枚合せ間隔に熱膨張気（液）体を結合した「ベローズ」共に充填する。四分割（方位・高度角）面より夫々が太陽光熱膨張力を「ベローズ」面積差分の増強圧力を第一反射鏡の差分稼動から太陽光に追従し、前記「００２０」同様の稼動追従受光し、「ソーラーセル」から高能力電力を得る。「ソーラーセル」受光熱冷却は第一反射鏡の気（液）放熱を利用する。
【００２２】「球体発電ユニット」は反射集光とレンズ集光に二式がある。反射式は、前面透明・背面金属等の球体外周に「糸ベルト」を連結する基定点を具え、その「糸ベルト」により方位・高度角に回転、太陽光に追従する。球体間第一・第二反射鏡等「ソーラーセル」を配置し、追従光路に従った高密度光を「ソーラーセル」が受光し、高能力電力を得る。即ち球体は無軸に「糸ベルト」の伸縮追従制御、その方向に回転。その基定点間長を多数連結同期・累積誤差なく、夫々の間隔を保ち太陽光を追従高密度光より「ソーラーセル」が最高能力電力する発明。レンズ集光式は、前半球凸レンズであり、背半球は放熱板と反射鏡、集光板付「ソーラーセル」である。他は反射集光式と殆んど同じである。追従光よりレンズ集光高密度光を「ソーラーセル」が受光し、高能力電力を得る発明である。
【００２３】平面箱「発電ユニット」式は、平面箱Ｘ・Ｙ面に多数「発電ユニット」を滑車状とし、二系統を「糸ベルト」で夫々の基定点に係留する。太陽光検知信号から「糸ベルト」を伸縮し、全「発電ユニット」を一斉同期追従する。夫々「発電ユニット」間に於いて高密度光を「ソーラーセル」が受光し、高能力電力を得る。平箱底面の高伝導冷却活用と特種二軸ベアリング等無使用で多数「発電ユニット」を滑車と「糸ベルト」を用い、簡易・軽量に太陽光追従する特徴の有る発明。
【００２４】パンザー電柱形「発電ユニット」式は、「パンザー」電柱間に多数「発電ユニット」外周の基定点に「糸ベルト」を連結、縄梯子（桟）とする。方位・高度角の「糸ベルト」を太陽光検知信号と駆動モータが上下動し、全数一斉同期追従する。その「発電ユニット」間「ソーラーセル」が高密度光を受光し、高能力電力を得る。この形状から効率よく狭地、立体利用と気化熱対流冷却に適した発明。
【発明を実施するための最良の形態】
【００２５】「平面レンズ式」は太陽光運行を多数平面に並べたレンズが順次送りに反射、集光を行い、追従し高密度光を「ソーラーセル」が受光し、高能力電力を得る。一方受光熱を反射鏡・放熱板と協調よく「ソーラーセル」過熱防止する発明。【００２６】「液体レンズ式」はレンズ形透明容器（多数多層連結又は箱外蓋一連成形）に屈折液体を入出し、受光最適層を別設追従信号がレンズ層を選択入液そのレンズ高密度光を「ソーラーセル」が受光し高能力電力を得る発明。【００２７】「バイメタル式」は太陽光熱を枝葉の方策向日性を真似その受光を積極運用「バイメタル」等の熱変形反面差力より反射鏡を運行する太陽光に熱量差変化追従し高密度光を「ソーラーセル」が受光し高能力電力を得る発明。【００２８】「ベローズ式」は太陽光熱を反射鏡及び「ベローズ」内に封入気（液）体膨張力から「ベローズ」を伸縮、その相互伸縮差から反射鏡が方向変化し、運行する太陽光熱反射鏡が追従その高密度光を「ソーラーセル」が受光し、高能力電力を得る発明。【００２９】「発電ユニット」は半球金属背面と透明前面を結合した球体。背半球に補助反射放熱板付「ソーラーセル」更に第一反射鏡・放熱板が密着する。透明前半面中心に第二反射鏡を付属。前面から直達光（レンズ集光型を含む）が第一、第二反射鏡を経て「ソーラーセル」が高密度光を受光し高能力電力を得る。又、外周大圏ルートに「糸ベルト」結合基定点を付属する発明。【００３０】前記「発電ユニット」の集光策は主体が反射鏡で、本「レンズ集光式」は前面が集光凸レンズ（フリネルレンズを含む）代替以外は殆んど同じ形容光路ルートの構成である。補助集光板付「ソーラーセル」は前面レンズ高密度光を受け、前記「００２９」同様の高能力電力を得る発明。【００３１】平面箱底のＸ・Ｙ面に多数（単数）の「発電ユニット」を携留、更に別設追従検出信号出力を追従モーター軸に結合、その回転より運行する太陽光から「発電ユニット」内反射鏡等を経て「ソーラーセル」が高密度光を受け高能力電力を得る発明。更に平面箱底面の放熱良伝導（液体入出）と「発電ユニット」底面との重量密着が「ソーラーセル」温度上昇を消去運用する。多数「発電ユニット」一斉同期（シンクロナス・インターロック）を「糸ベルト」球体形（無軸・軸受）利用の回転追従「平面箱形発電ユニット」の発明。【００３２】「パンザー電柱発電ユニット」式は透明カバー上面板に方位用ベルトホルダーと高度用滑車の回転モーターが連結する。「ベルトホルダ」と「滑車」より夫々「糸ベルト」を懸垂、「糸ベルト」は、「発電ユニット」基定点に結着集積誤差を生じなく運行する太陽光に別設の追従信号からモーター駆動回転する。回転から「糸ベルト」を経て全「発電ユニット」が前記内部反射鏡（凸レンズ）等光路ルートを経て直達光より高密度光を「ソーラーセル」が受光し、高能力電力を得る発明。「糸ベルト」下端は二系統共上端同様モーター、ベルトホルダを滑車で回転保持する。
【実施例】
【００３３】本発明実施例を図１〜図１４に基づいて説明する。図１「平面にレンズを並べた式」は、平面Ｘ・Ｙに凸レンズ（又は一体成形レンズ板を並べたレンズ配列の一部分図（形状は限定しない）。【００３４】図２、図１の側面と光路、その受光「ソーラーセル」と補助反射板の模擬配置図である。図中▲１▼は太陽光の早朝、▲２▼▲３▼は午前中、▲７▼は正中の受光光路想定図である。【００３５】図３、液体レンズ式は図１、２に類似である。透明凸レンズ容器（殻）に屈折率のある媒体液を入出即ち凸レンズ作用の有無制御を行い、別設の運行する太陽光追従信号が最適凸レンズを制御検出その制御レンズから直達光の高密度光を「ソーラーセル」が受光し、高能力電力を得る。図３は凸レンズ表裏二層二分の一重ねである。（重ね方、層数は限定しない。）見掛上太陽光運行（又はソーラーセル）が二分の一になる無動力の経済性の高い方策である。図３は重ね制御凸レンズと光路（光路番号は図２に同じ。）の想定図、図１４は上面配置部分図である。【００３６】図４は花弁類似反射鏡の側面図である。図５はその上面図である。一例である四分割反射鏡が運行する太陽光熱を受けその方向に反面変形する「バイメタル」式、その膨張力を利用する「ベローズ」は伸縮式である。その応力が反射鏡を運行する太陽光に追従制御する。その反面鏡から高密度光を補助集光板付「ソーラーセル」が受光し、高能力電力を得る発明。即ち、四分割熱絶縁反射鏡裏に結着したバイメタルの熱反面応力差直接、又はベローズと四分割内面に充填した膨張気（液）体の圧力差から反射鏡を稼動する。【００３７】図６は、図４の第一反射鏡と太陽光方位角追従稼動の側面模型図であり、第二反射鏡方向が太陽光である。花弁形四分割反射鏡と密着「バイメタル板」が太陽光熱から反面力の差により、反射鏡全体が太陽光追従する。即ち反射鏡の支持は夫々の「バイメタル」のみで行う。例えば周囲温度のみでは反射鏡取付台（太陽光）に対して傾斜なく、平行稼動である。太陽光熱四方向受光熱の差のみに傾斜追従する特徴ある支持方付きの発明。又図４に於ける「ソーラーセル」の補助反射板を図６のバイメタル支持反面力追従が併用する出力増加型である。【００３８】図７は、図６熱反面力追従を「ベローズ」伸縮力とした追従時図６と同様側面模型図である。熱絶縁四分割第一反射鏡を二枚合せ板と「ベローズ」を夫々の空隙に熱膨張気（液）体を充填する。夫々四分割の受光熱膨張力の差による「バイメタル」式と同様稼動に於いて太陽光を追従、光の高密度光を「ソーラーセル」が受光し、高能力電力を得る。ベローズ式に於いて抽出した単少数（別設置圧力式から運用含む）の太陽光熱から膨張圧力を多数「ベローズ」式に分配、一斉同期追従する特徴ある発明。【００３９】図８は図６、図７の日照経過時に於ける第一反射鏡の太陽光追従傾斜（方位角）模型側面図である。【００４０】図９は「球体発電ユニット」レンズ式の側面断面図である。前半球を凸レンズ又は一体成型フリネルレンズとする。後半球は反射鏡・放熱板を併用した椀形鏡が結合、その中心に補助集光板付「ソーラーセル」を具備する。前面よりの太陽光がレンズ反射鏡等で高密度光とし、後面の「ソーラーセル」が受光し高能力電力を得る。「球体発電ユニット」を滑車とし、「糸ベルト」二系列を伸縮し方位・高度角回転する球体の特徴がある。【００４１】図１０は「球体発電ユニット」反射鏡式側面断面図である。図９に類似構成の透明容器前半球にカスグレン第二反射鏡を付帯、裏半球には第一反射鏡と間隙ある放熱板をその中心には補助反射板付「ソーラーセル」を具備する。前面から太陽直達光は第一・第二反射鏡を経た高密度光を補助集光板付き「ソーラーセル」が受光、高能力電力を得る。又球体外周には図９同様「糸ベルト」を連携基定点・通風冷却孔を有する「発電ユニット」の発明。【００４２】図１１は、平面箱形「発電ユニット」上面模擬図である。縦横平面に図９・１０多数の「発電ユニット」を「糸ベルト」二系列四点（方位・高度角）基定点に懸索その「系ベルト」を伸縮稼動し、運行する太陽光検出信号とモーター駆動が「全発電ユニット」二系統を同期・同角度（シンクロナス・インターロック）追従する。全発電ユニットが捕捉直達・増大光を「ソーラーセル」が受光し、高能力電力を得る発明。【００４３】図１２は「パンザー電柱形」「発電ユニット」側面模擬図である。図１１収納が箱形から「パンザー電柱」形に変る。その内部に多数の「発電ユニット」を梯子懸垂夫々「糸ベルト」を連携・無軸二系統が自由方向転換し、太陽光を追従、その直達光を高密度光とし「ソーラーセル」が受光し、高能力電力を得る発明である。垂直形態は空冷却に、上部より「糸ベルト」伝い流し水冷却に好適である。又細身高木形の移動出来る立体活用品である。【００４４】図１３は、図１２に於ける「パンザー電柱形」の実装上面図である。又図１４は【００３５】に於ける図３の上面配置部分図である。
【発明の効果】
【００４５】発明の効果は各々記述、図示した。即ち資源より極限まで精製が多量のエネルギー（電力等）の消費を最高精密加工技術による太陽電池をその能力不充分活用、従って「経済的な元高回収」の低さを云々する情勢下、他方僅少でも多方面に活動する例えば待機電力の推計が原発電力量に相当する現代その僅少電力から広く安易に利用、活用（各家庭発電所）発電出来る数１０倍の高密度方式利得を保有する「太陽光変換電力発生装置」の発明。
【図面の簡単な説明】
【００４６】
【図１】平面箱Ｘ・Ｙに多数凸レンズ（成形レンズ又は箱容器蓋レンズ）配列設置した上面部分図。
【図２】図１の側面部分図。太陽光早朝から正中時まで時間経過「ソーラーセル」受光路（▲１▼〜▲７▼）（午後逆光省略）図。
【図３】図２凸レンズを半径分位相を変えた二枚重ね切換制御レンズの午前中方位角光路想像側面図。
【図４】花弁類似の「光電発生装置」の第一反射鏡、第二反射鏡とその付属放熱板等と「ソーラーセル」の模擬側面断面図。
【図５】図４「光電発生装置」上面略図。
【図６】図４、図５バイメタル式の第一反射鏡と熱反面午前、正中、午後の太陽光路との想像側面図。
【図７】前記のバイメタル式を熱膨張ベローズと第一反射鏡との追従想像側面図。
【図８】図６、図７の太陽光追従形態（方向角）の第一反射鏡のみ側面想像図。
【図９】「球体発電ユニット」レンズ集光式高度面断面図。
【図１０】前図同様反射鏡式高度面断面図。
【図１１】「球体発電ユニット」の平面Ｘ・Ｙ方向に多数を配設置・稼動滑車「糸ベルト」及び駆動モーターとの一例配置部分平面図。
【図１２】「球体発電ユニット」のパンザー電柱式に於ける「糸ベルト」で懸垂した「球体発電ユニット」二系列駆動モーターの東（西）面配置一例断面図。
【図１３】前図「球体発電ユニット」上面一部断面図。
【図１４】図３凸レンズ側面図の上面部分図。
【符号の説明】
【００４７】１．    成形凸レンズ板２．    凸レンズ３．    光路（▲１▼〜▲７▼午前中、午後はその逆光）４．    補助反射板及び放熱板５．    太陽電池「ソーラーセル」６．    反射鏡（花びら形）７．    バイメタル８．    反射鏡・放熱板９．    ベローズ１０．  凸レンズ（含フリネル形）１１．  透明球体容器（大圏ルートベルト基定点付）１２．  放熱板１３．  補助集光反射板１４．  第一反射鏡１５．  カスグレン形第二反射鏡１６．  滑車（プリー）１７．  追従モーターＥＬ（高度角）１８．  追従モーターＡＺ（方位角）１９．  連結軸２０．  発電ユニット２１．  糸ベルトＡＺ（方位角）２２．  平箱併用冷却底板２３．  ベルトホルダー２４．  糸ベルトＥＬ（高度角）２５．  冷却孔２６．  支持板２７．  透明カバー（パンザー外装）２８．  追従の日回りコース２９．  架台３０．  平面軸（スラスト）３１．  基定点又は取付点３２．  液体入出口３３．  収納箱（平面）３４．  熱絶縁３５．  反り長溝孔１０１．凸レンズ前１０２．凸レンズ後
【図１】
2004312054.tif 000003
【図２】
2004312054.tif 000004
【図３】
2004312054.tif 000005
【図１４】
2004312054.tif 000006
【図４】
2004312054.tif 000007
【図５】
2004312054.tif 000008
【図６】
2004312054.tif 000009
【図７】
2004312054.tif 000010
【図８】
2004312054.tif 000011
【図９】
2004312054.tif 000012
【図１０】
2004312054.tif 000013
【図１１】
2004312054.tif 000014
【図１２】
2004312054.tif 000015
【図１３】
2004312054.tif 000016